(57)【特許請求の範囲】
【請求項１】
排紙トレイと、第１開口と、前記第１開口よりも上方に配置される第２開口と、を有する筐体と、
画像形成部と、
前記第１開口と連通し、記録媒体を前記排紙トレイに向けてガイドする排紙経路と、
前記第２開口と連通し、上下方向と直交する直交方向で前記排紙経路と並んで配置され、前記記録媒体を前記画像形成部に向けてガイドする再搬送経路と、
前記第１開口の近傍かつ前記排紙トレイよりも上方に配置され、前記第１開口の近傍で揺動可能に支持される軸部が配置される端部である第１端部と、前記第１端部とは反対側の第２端部と、前記第１端部から前記第２端部まで延びるリブと、を有する揺動部材と、
を備え、
前記揺動部材は、第１位置と、前記第１位置よりも前記第２端部が前記直交方向において前記再搬送経路から離れる位置に移動した第２位置とに移動可能に配置され、
前記リブは、前記揺動部材が前記第２位置に配置されたときに前記排紙トレイと向かい合う面と反対側に形成されており、かつ、前記第１端部と前記第２端部との間を直線的に延びており、
前記リブは、前記揺動部材が前記第２位置に配置された状態で、前記揺動部材の最上面を構成していることを特徴とする、画像形成装置。
【請求項２】
前記揺動部材は、
前記第１端部から前記第２端部まで延びる延部と、
前記第２端部に位置し、前記揺動部材が前記第２位置に配置された状態で、前記延部の上面から上方へ膨らむ膨出部と、
前記延部の上面から上方へ突出する前記リブと、を有し、
前記揺動部材が前記第２位置に配置された状態で、前記リブの上面は、前記第１端部と前記第２端部との間を直線的に延び、前記膨出部の最上面に連続することを特徴とする、請求項１に記載の画像形成装置。
【請求項３】
前記再搬送経路に配置され、前記第２開口へ向けて前記記録媒体を搬送する第１回転方向と、前記第１回転方向とは反対の第２回転方向とに切り替え可能な反転ローラをさらに備えることを特徴とする、請求項１または請求項２に記載の画像形成装置。
【請求項４】
前記揺動部材は、前記第２位置に配置されたときに前記排紙トレイ側に向けて凸となるように湾曲していることを特徴とする、請求項１ないし３のいずれか一項に記載の画像形成装置。
【請求項５】
前記第２開口は、前記直交方向において、前記第１開口よりも前記再搬送経路側に配置されていることを特徴とする、請求項１ないし４のいずれか一項に記載の画像形成装置。
【請求項６】
前記筐体は、上下方向において、前記第１開口と前記第２開口との間に配置され、前記第２開口の下側の縁を形成するガイド部を備えることを特徴とする、請求項１ないし５のいずれか一項に記載の画像形成装置。
【請求項７】
前記ガイド部は、前記揺動部材の前記軸部よりも上に配置されていることを特徴とする、請求項６に記載の画像形成装置。
【請求項８】
前記ガイド部は、前記筐体の上面であり、
前記排紙トレイは、前記筐体の上面から下方に凹むように構成されていることを特徴とする、請求項６または７に記載の画像形成装置。
【請求項９】
前記ガイド部は、前記記録媒体との接触抵抗を低減するように構成される接触部を備えることを特徴とする、請求項６ないし８のいずれか一項に記載の画像形成装置。
【請求項１０】
前記ガイド部は、前記排紙トレイに近い第１端縁と、前記第２開口に近い第２端縁とを有し、
前記接触部は、少なくとも前記第１端縁に配置されていることを特徴とする、請求項９に記載の画像形成装置。
【請求項１１】
前記接触部は、前記直交方向に延びるリブであることを特徴とする、請求項９または１０に記載の画像形成装置。
【請求項１２】
前記接触部は、上下方向および前記直交方向の両方に直交する幅方向において、互いに間隔を隔てて複数配置されていることを特徴とする、請求項９ないし１１のいずれか一項に記載の画像形成装置。
【請求項１３】
前記揺動部材の前記リブは、前記揺動部材が前記第２位置に配置されたときに、前記直交方向において、前記ガイド部よりも前記第２開口から離れた位置に配置されていることを特徴とする、請求項６ないし１２のいずれか一項に記載の画像形成装置。
【請求項１４】
感光ドラムと、
前記感光ドラムの表面上の現像剤像を前記記録媒体に転写するように構成される転写ユニットと、
前記記録媒体上の現像剤像を定着させるように構成される定着器と、
前記転写ユニットに向かって記録媒体を搬送する第１搬送方向において前記転写ユニットの上流側に位置する供給経路と、
前記供給経路と前記再搬送経路とに連続する中継経路と、をさらに備え、
前記排紙経路は、前記定着器を通過した記録媒体を前記第１開口へ搬送する第２搬送方向において前記定着器の下流側に配置され、
前記再搬送経路は、前記定着器を通過した記録媒体を前記第２開口へ搬送する第３搬送方向において前記定着器の下流側に配置されることを特徴とする、請求項１ないし１３のいずれか一項に記載の画像形成装置。
【請求項１５】
前記記録媒体を前記排紙経路にガイドする第１ガイド位置と、前記記録媒体を前記再搬送経路にガイドする第２ガイド位置との間を移動可能な切替部をさらに備えることを特徴とする、請求項１ないし１４のいずれか一項に記載の画像形成装置。
【発明の詳細な説明】
【技術分野】
【０００１】
本発明は、電子写真方式が採用される画像形成装置に関する。
【背景技術】
【０００２】
従来より、シートの両面に画像を形成するために、搬送されるシートの表裏を反転させるプリンタが知られている。
【０００３】
このようなプリンタとして、シートに画像を形成するための画像形成部と、シートに画像を定着させるための定着部と、シートを排紙する搬送路であるシート搬送路と、シートを反転させる搬送路である引込み通路と、プリンタ本体の上面に配置される排紙トレイと、排紙トレイの上方に配置され、引込み通路に連続するガイドと、引込み通路に配置される反転ローラと、を備えるプリンタが提案されている（例えば、特許文献１参照）。
【０００４】
このプリンタでは、画像形成が完了したシートは、定着部を通過した後、シート搬送路を通過して排紙トレイに排出される。また、片面に画像が形成されたシートであって、さらにもう一方の面に画像を形成するシートは、定着部を通過した後、引込み通路に案内される。そして、引込み通路に進入したシートは、ガイドに沿うようにして排紙トレイの上方に配置された状態で、反転ローラが逆回転することにより、再度、画像形成部に向かって搬送される。
【先行技術文献】
【特許文献】
【０００５】
【特許文献１】特開２００８−１６２７４４号公報
【発明の概要】
【発明が解決しようとする課題】
【０００６】
しかるに、上記特許文献１に記載のプリンタでは、引込み通路にシートが進入すると、搬送されるシートが、ガイドや排紙トレイ上のシートに接触するおそれがある。このように、引込み通路に進入するシートがその他の部材と接触するときには、再搬送されるシートに対する搬送抵抗が大きくなってしまうことがある。
【０００７】
そこで、本発明の目的は、記録媒体を円滑に再搬送できる画像形成装置を提供することにある。
【課題を解決するための手段】
【０００８】
（１）上記目的を達成するために、本発明の画像形成装置は、排紙トレイと、第１開口と、第１開口よりも上方に配置される第２開口と、を有する筐体と、画像形成部と、第１開口と連通し、記録媒体を排紙トレイに向けてガイドする排紙経路と、第２開口と連通し、上下方向と直交する直交方向で排紙経路と並んで配置され、記録媒体を画像形成部に向けてガイドする再搬送経路と、第１開口の近傍かつ排紙トレイよりも上方に配置され、第１開口の近傍で揺動可能に支持される軸部が配置される端部である第１端部と、第１端部とは反対側の第２端部と、第１端部から第２端部まで延びるリブと、を有する揺動部材と、を備える。揺動部材は、第１位置と、第１位置よりも第２端部が直交方向において再搬送経路から離れる位置に移動した第２位置とに移動可能に配置される。リブは、揺動部材が第２位置に配置されたときに排紙トレイと向かい合う面と反対側に形成されている。
【０００９】
このような構成によれば、排紙トレイに記録媒体が排出されていない場合には、揺動部材は、その自重によって第１位置に配置される。排紙トレイに記録媒体が排出されて、排紙トレイ上に記録媒体が積載されると、揺動部材は、記録媒体に押し上げられるようにして、第１位置から第２位置に向かって移動する。そして、揺動部材は、第２端部によって記録媒体を押さえる。また、リブは、揺動部材が第２位置に配置されたときに排紙トレイと向かい合う面と反対側に形成されている。
【００１０】
そのため、排紙トレイ上に積載された記録媒体を揺動部材によって押さえることができながら、再搬送経路および第２開口を通過する記録媒体を、揺動部材のリブに沿わせて搬送できる。
【００１１】
その結果、再搬送される記録媒体と揺動部材との接触面積を小さくできる。
【００１２】
よって、記録媒体を円滑に再搬送できる。
（２）また、画像形成装置は、再搬送経路に配置され、第２開口へ向けて記録媒体を搬送する第１回転方向と、第１回転方向とは反対の第２回転方向とに切り替え可能な反転ローラをさらに備えてもよい。
【００１３】
このような構成によれば、反転ローラを、第１回転方向に回転させた後に第２回転方向に回転させることにより、記録媒体を、第２開口に向けて搬送した後に、第２開口から離れる方向に搬送できる。
【００１４】
そのため、反転ローラの回転方向を切り替えることにより、記録媒体を再搬送できる。
（３）また、揺動部材は、第２位置に配置されたときに排紙トレイ側に向けて凸となるように湾曲していてもよい。
【００１５】
このような構成によれば、揺動部材によって、排紙トレイ上に排出された記録媒体を確実に押さえることができる。
（４）また、リブは、第１端部と第２端部との間を直線的に延びていてもよい。
【００１６】
このような構成によれば、記録媒体を、揺動部材のリブに沿わせて円滑に移動させることができる。
（５）また、第２開口は、直交方向において、第１開口よりも再搬送経路側に配置されていてもよい。
【００１７】
このような構成によれば、第２開口を通過した記録媒体が排紙トレイに向かって搬送される場合において、記録媒体が第２開口を通過してから１開口の近傍まで搬送される間は、搬送される記録媒体と、排紙トレイ上に積載される記録媒体とは接触しない。
【００１８】
そのため、再搬送される記録媒体と、排紙トレイ上に積載される記録媒体とが接触することを抑制できる。
【００１９】
その結果、記録媒体を一層円滑に再搬送できる。
（６）また、筐体は、上下方向において、第１開口と第２開口との間に配置され、第２開口の下側の縁を形成するガイド部を備えてもよい。
【００２０】
このような構成によれば、再搬送経路および第２開口を通過する記録媒体を、ガイド部に沿わせて移動させることができる。
【００２１】
その結果、記録媒体を一層円滑に再搬送できる。
（７）また、ガイド部は、揺動部材の軸部よりも上に配置されていてもよい。
【００２２】
このような構成によれば、ガイド部に沿って移動した記録媒体を、円滑に揺動部材のリブに沿わせて移動させることができる。
（８）また、ガイド部は、筐体の上面であり、排紙トレイは、筐体の上面から下方に凹むように構成されていてもよい。
【００２３】
このような構成によれば、別途部材を設けることなく、ガイド部および排紙トレイを構成できる。
【００２４】
そのため、画像形成装置において部品点数を削減できる。
（９）また、ガイド部は、記録媒体との接触抵抗を低減するように構成される接触部を備えてもよい。
【００２５】
このような構成によれば、ガイド部に沿って移動する記録媒体は、接触部に接触する。
【００２６】
そのため、記録媒体を一層円滑に再搬送できる。
（１０）また、ガイド部は、排紙トレイに近い第１端縁と、第２開口に近い第２端縁とを有してもよい。接触部は、少なくとも第１端縁に配置されていてもよい。
【００２７】
このような構成によれば、第２開口を通過して排紙トレイ側に配置された記録媒体を再搬送するときに、記録媒体が接触しやすい第１端縁に接触部が配置される。
【００２８】
そのため、再搬送される記録媒体を効率良く接触部に接触させることができる。
【００２９】
その結果、記録媒体を一層円滑に再搬送できる。
（１１）また、接触部は、直交方向に延びるリブであってもよい。
【００３０】
このような構成によれば、接触部を簡易に構成できる。
（１２）また、接触部は、上下方向および直交方向の両方に直交する幅方向において、互いに間隔を隔てて複数配置されていてもよい。
【００３１】
このような構成によれば、記録媒体を複数の接触部に接触させることができる。
【００３２】
そのため、ガイド部に沿って移動する記録媒体の搬送速度が遅くなることを一層抑制できる。
（１３）また、揺動部材のリブは、揺動部材が第２位置に配置されたときに、直交方向において、ガイド部よりも第２開口から離れた位置に配置されていてもよい。
【００３３】
このような構成によれば、第２開口を通過してガイド部に沿って移動する記録媒体は、ガイド部に沿って移動した後、揺動部材のリブに沿って移動する。
【００３４】
そのため、記録媒体を円滑に移動させることができる。
（１４）また、画像形成装置は、感光ドラムと、感光ドラムの表面上の現像剤像を記録媒体に転写するように構成される転写ユニットと、記録媒体上の現像剤像を定着させるように構成される定着器と、転写ユニットに向かって記録媒体を搬送する第１搬送方向において転写ユニットの上流側に位置する供給経路と、供給経路と再搬送経路とに連続する中継経路と、をさらに備えてもよい。排紙経路は、定着器を通過した記録媒体を第１開口へ搬送する第２搬送方向において定着器の下流側に配置されてもよい。再搬送経路は、定着器を通過した記録媒体を第２開口へ搬送する第３搬送方向において定着器の下流側に配置されてもよい。
【００３５】
このような構成によれば、記録媒体を再搬送経路に進入させて第３搬送方向に搬送させた後、その記録媒体を第３搬送方向と反対方向に搬送し、中継経路を搬送させて供給経路に進入させることにより、定着器を通過した記録媒体を再度、画像形成部に向かって搬送できる。
（１５）また、画像形成装置は、記録媒体を排紙経路にガイドする第１ガイド位置と、記録媒体を再搬送経路にガイドする第２ガイド位置との間を移動可能な切替部をさらに備えてもよい。
【００３６】
このような構成によれば、切替部によって、記録媒体を、排紙経路または再搬送経路に確実にガイドできる。
【発明の効果】
【００３７】
本発明の画像形成装置では、記録媒体を円滑に再搬送できる。
【図面の簡単な説明】
【００３８】
【図１】図１は、本発明の第１実施形態のプリンタを示す中央断面図である。
【図２】図２は、図１に示すプリンタの平面図である。
【図３】図３は、図１に示すプリンタのＡ−Ａ断面図である。
【図４】図４は、図１に示すスタックレバーを前上方から見た斜視図である。
【図５】図５は、本発明の第２実施形態のプリンタを示す平面図である。
【図６】図６は、図５に示すプリンタの中央部を前上方から見た拡大斜視図である。
【発明を実施するための形態】
【００３９】
＜第１実施形態＞
以下、第１実施形態の画像形成装置１について説明する。以下の説明において、方向に言及するときには、図中に示す方向矢印を基準とする。
１．画像形成装置の概略
図１に示すように、画像形成装置１は、レーザープリンタである。画像形成装置１は、第１開口の一例としての排紙口２Ａを有する筐体２と、画像形成部３と、供給経路４Ａを有する給紙部４と、排紙経路５Ａを有する排紙部５とを備える。
【００４０】
筐体２は、画像形成装置１の外装を構成する。筐体２は、ボックス形状を有する。筐体２は、画像形成部３、給紙部４および排紙部５を収容する。筐体２は、排紙トレイ２Ｂを備える。
【００４１】
排紙トレイ２Ｂは、筐体２の上壁に配置される。排紙トレイ２Ｂは、筐体２の上面から下方へ凹む凹形状を有する。
【００４２】
排紙口２Ａは、排紙トレイ２Ｂの後上方に配置される。排紙口２Ａは、前後方向に開口する。これにより、排紙口２Ａは、筐体２の内方と外方とを連通する。
【００４３】
画像形成部３は、画像形成装置１の中央に配置される。画像形成部３は、複数（４つ）の感光ドラム６、複数（４つ）の現像装置７、露光装置８、転写ユニット９、および、定着器１０を備える。
【００４４】
４つの感光ドラム６は、前後方向に互いに間隔を隔てて配列される。感光ドラム６は、左右方向に延びる円筒形状を有する。
【００４５】
４つの現像装置７は、前後方向に互いに間隔を隔てて配列される。現像装置７は、感光ドラム６の前上方に配置される。現像装置７は、トナーを収容する。現像装置７は、現像ローラ７Ａを備える。
【００４６】
現像ローラ７Ａは、現像装置７の後下端部に配置される。現像ローラ７Ａは、感光ドラム６と接触する。現像ローラ７Ａは、感光ドラム６にトナーを供給する。
【００４７】
露光装置８は、４つの現像装置７の上方に配置される。露光装置８は、画像データに基づくレーザー光Ｌを出射可能である。露光装置８から出射されたレーザー光Ｌは、現像装置７の後方を通過して、感光ドラム６の表面に入射する。
【００４８】
転写ユニット９は、４つの感光ドラム６の下方に配置される。転写ユニット９は、前後方向に沿って配置されている。転写ユニット９は、ベルト９Ａと、複数（４つ）の転写ローラ９Ｂとを備える。
【００４９】
ベルト９Ａは、無端状のベルトである。ベルト９Ａは、上面において、４つの感光ドラム６に対して接触する。ベルト９Ａは、上面が前方から後方に向かって移動するように、周回可能である。
【００５０】
４つの転写ローラ９Ｂは、前後方向に互いに間隔を隔てて配列される。転写ローラ９Ｂは、感光ドラム６の上方に位置する。転写ローラ９Ｂは、感光ドラム６との間にベルト９Ａを挟む。
【００５１】
定着器１０は、転写ユニット９の後方に位置する。定着器１０は、加熱ローラ１０Ａと、加熱ローラ１０Ａと接触する加圧ローラ１０Ｂとを備える。
【００５２】
給紙部４は、画像形成装置１の下端部に配置される。給紙部４は、用紙Ｐを画像形成部３に搬送するように構成される。給紙部４は、給紙トレイ１１を備える。
【００５３】
供給経路４Ａは、給紙トレイ１１の前端部の上方から前上方へ延び、後方へ湾曲して、最前方の感光ドラム６の前方まで延びる。なお、供給経路４Ａにおいて、転写ユニット９に向かう方向が、第１搬送方向の一例である。
【００５４】
給紙トレイ１１は、転写ユニット９の下方に配置される。給紙トレイ１１は、用紙Ｐを収容可能なトレイである。
【００５５】
排紙部５は、画像形成装置１の後上端部に配置される。排紙部５は、定着器１０を通過した用紙Ｐを排紙トレイ２Ｂに排紙するように構成される。排紙部５は、排紙ローラ１５と対向ローラ１６とを備える。
【００５６】
排紙経路５Ａは、定着器１０の後上方から上方へ延び、前方へ湾曲して、排紙口２Ａに連通する。なお、排紙経路５Ａにおいて、排紙口２Ａに向かう方向が、第２搬送方向の一例である。
【００５７】
排紙ローラ１５は、排紙経路５Ａの前端部に配置される。排紙ローラ１５は、駆動源Ｍ１から入力される駆動力により回転可能である。
【００５８】
対向ローラ１６は、排紙経路５Ａの前端部に配置される。対向ローラ１６は、排紙ローラ１５の下方に配置される。対向ローラ１６は、排紙ローラ１５に接触する。対向ローラ１６は、排紙ローラ１５に従動して回転可能である。
【００５９】
画像形成装置１が画像形成動作を開始すると、露光装置８は、レーザー光Ｌを出射し、感光ドラム６の表面を露光する。これにより、画像データに基づく静電潜像が、感光ドラム６の表面に形成される。
【００６０】
次いで、トナーが、現像ローラ７Ａによって、感光ドラム６の表面の静電潜像に供給される。これにより、トナー像が、感光ドラム６の表面に担持される。
【００６１】
次いで、給紙トレイ１１内の用紙Ｐが、所定のタイミングで１枚ずつ、供給経路４Ａを通過して、最前方の感光ドラム６とベルト９Ａとの間に給紙される。用紙Ｐは、ベルト９Ａにより、４つの感光ドラム６に順次接触するように、前方から後方へ搬送される。感光ドラム６の表面のトナー像は、用紙Ｐが感光ドラム６に接触するときに、用紙Ｐに転写される。
【００６２】
次いで、用紙Ｐは、加熱ローラ１０Ａと加圧ローラ１０Ｂとの間を通過するときに加熱および加圧される。これにより、用紙Ｐ上のトナー像は、用紙Ｐに定着される。
【００６３】
次いで、用紙Ｐは、排紙経路５Ａおよび排紙口２Ａを通過して筐体２の外方に排紙され、排紙トレイ２Ｂに積載される。
２．用紙の再搬送に関する構成
画像形成装置１は、再搬送経路の一例としての反転経路１２Ａと、中継経路１２Ｂとを有する再搬送部１２と、切替部の一例としてのフラップ３１と、ガイド部３５と、第１スタックレバー４１Ｌと、第２スタックレバー４１Ｒとを備える。また、画像形成装置１において、筐体２は、第２開口の一例としての通過口２Ｃを有する。
（１）通過口
通過口２Ｃは、筐体２の後上端部に配置される。通過口２Ｃは、前後方向に開口する。これにより、通過口２Ｃは、筐体２の内方と外方とを連通する。通過口２Ｃは、排紙口２Ａの後上方に配置されている。すなわち、通過口２Ｃは、上下方向において、排紙口２Ａの上方に配置されており、前後方向において、排紙口２Ａの後方に配置されている。
（２）再搬送部
再搬送部１２は、反転ローラの一例としての第１反転ローラ２１と、第１対向ローラ２２と、第２反転ローラ２３と、第２対向ローラ２４とを備える。
【００６４】
再搬送部１２は、画像形成装置１の後端部および下端部に配置される。再搬送部１２は、定着器１０を通過した用紙Ｐを、供給経路４Ａの途中へ搬送するように構成される。
【００６５】
反転経路１２Ａは、排紙経路５Ａの後方に配置される。反転経路１２Ａは、定着器１０から後上方へ延び、フラップ３１（後述）の下方を通過した後、上方へ湾曲し、その後、排紙経路５Ａと同じように、前上方へ湾曲して通過口２Ｃに連通する。なお、反転経路１２Ａにおいて、通過口２Ｃに向かう方向が、第３搬送方向の一例である。
【００６６】
中継経路１２Ｂは、フラップ３１（後述）の下方に配置される反転経路１２Ａの部分から前下方に延び、前方へ湾曲した後、給紙トレイ１１の下方において後方に延び、さらに、前上方に湾曲して供給経路４Ａに連通する。
【００６７】
第１反転ローラ２１は、反転経路１２Ａに配置される。第１反転ローラ２１は、通過口２Ｃの後下方に間隔を隔てて配置される。第１反転ローラ２１は、駆動源Ｍ２から入力される駆動力により回転可能である。第１反転ローラ２１は、用紙Ｐを上方へ搬送する第１回転方向と、第１回転方向とは逆の回転方向であって、用紙Ｐを下方へ搬送する第２回転方向とに、切り替え可能である。
【００６８】
第１対向ローラ２２は、反転経路１２Ａに配置される。第１対向ローラ２２は、第１反転ローラ２１の前下方に配置される。第１対向ローラ２２は、第１反転ローラ２１に接触する。第１対向ローラ２２は、第１反転ローラ２１に従動して回転可能である。
【００６９】
第２反転ローラ２３は、反転経路１２Ａに配置される。第２反転ローラ２３は、第１反転ローラ２１の下方に間隔を隔てて配置される。第２反転ローラ２３は、駆動源Ｍ３から入力される駆動力により回転可能である。第２反転ローラ２３は、用紙Ｐを上方へ搬送する第３回転方向と、第３回転方向とは逆の回転方向であって、用紙Ｐを下方へ搬送する第４回転方向とに、切り替え可能である。
【００７０】
第２対向ローラ２４は、反転経路１２Ａに配置される。第２対向ローラ２４は、第２反転ローラ２３の前方に配置される。第２対向ローラ２４は、第２反転ローラ２３に接触する。第２対向ローラ２４は、第２反転ローラ２３に従動して回転可能である。
（３）フラップ
フラップ３１は、定着器１０の後上方に配置される。フラップ３１は、排紙経路５Ａの下端部と、反転経路１２Ａの下端部との間に配置される。フラップ３１は、上下方向に延びる板形状を有する。フラップ３１は、上端部を回動中心として、反転経路１２Ａを閉鎖して排紙経路５Ａを開放する実線で示す排出位置と、反転経路１２Ａを開放して排紙経路５Ａを閉鎖する仮想線で示す搬送位置との間を回動可能である。なお、排出位置が第１ガイド位置の一例であり、搬送位置が第２ガイド位置の一例である。
（４）ガイド部
ガイド部３５は、筐体２の上面の一部である。具体的には、図２に示すように、筐体２の上面の後端部分かつ左右方向中央部分である。ガイド部３５は、前後方向において、排紙口２Ａと通過口２Ｃとの間に配置される。図１に示すように、ガイド部３５は、上下方向において、排紙口２Ａと通過口２Ｃとの間に配置される。図２に示すように、ガイド部３５は、平坦面３５Ａと、複数の接触部の一例としてのリブ３５Ｂとを備える。
【００７１】
平坦面３５Ａは、ガイド部３５の下端面を構成している。平坦面３５Ａは、平面視略矩形状を有する。平坦面３５Ａは、水平方向に延びる。
【００７２】
リブ３５Ｂは、平坦面３５Ａから上方に突出する。リブ３５Ｂは、前後方向に延びる。複数のリブ３５Ｂは、左右方向に互いに等間隔を隔てて配置される。上下方向に投影したときに、リブ３５Ｂの前端縁は、排紙口２Ａと重なっており、リブ３５Ｂの後端縁は、通過口２Ｃと重なっている（図１参照）。
【００７３】
図２に示すように、ガイド部３５の前端部は、平面視において、排紙トレイ２Ｂの後端部と隣り合う。図１に示すように、ガイド部３５の後端部は、通過口２Ｃの下側の縁を形成する。
（５）第１スタックレバーおよび第２スタックレバー
図２および図３に示すように、第１スタックレバー４１Ｌは、筐体２の上端部、かつ、左端部に取り付けられる。図４に示すように、第１スタックレバー４１Ｌは、前後方向に延びる板形状を有する。なお、以下の第１スタックレバー４１Ｌおよび第２スタックレバー４１Ｒの構成の説明では、第１スタックレバー４１Ｌおよび第２スタックレバー４１Ｒが、前下方と後上方とを結ぶ方向に沿って配置される図１に示す状態を基準として説明する。
【００７４】
図４に示すように、第１スタックレバー４１Ｌは、延部４２と、押さえ部４３と、複数（４つ）のリブ４４とを備える。
【００７５】
延部４２は、平面視略矩形であって、前後方向に延びる板形状を有する。延部４２の厚みは、前端部から後端部にかけて略同一である。延部４２は、第１軸部４５と、第２軸部４６とを備える。なお、延部４２の後端部が第１端部の一例である。
【００７６】
第１軸部４５は、延部４２の後端部の左面から左方に突出する。第１軸部４５は、左右方向に延びる略円柱形状を有する。
【００７７】
第２軸部４６は、延部４２の後端部の右面から右方に突出する。第２軸部４６は、左右方向に延びる略円柱形状を有する。左右方向に投影したときに、第２軸部４６は、第１軸部４５と一致している。
【００７８】
押さえ部４３は、延部４２の前端部から前上方に向かって延びる。すなわち、第１スタックレバー４１Ｌは、下方側に向かって凸となるように湾曲する。押さえ部４３は、連続部４３Ａと、第２端部の一例としての膨出部４３Ｂとを備える。
【００７９】
連続部４３Ａは、延部４２の前端部から前上方に向かって延びる。連続部４３Ａの厚みは、前上方に向かうにつれて厚くなっている。
【００８０】
膨出部４３Ｂは、連続部４３Ａの前端部から前上方に向かって膨出する。膨出部４３Ｂの外周面４３Ｃは、左右方向に見たときに、前上方側が膨らむように円弧状に湾曲している。
【００８１】
リブ４４は、延部４２の上面、および、押さえ部４３の上面から上方に突出する。具体的には、リブ４４は、延部４２の後端部の上面から膨出部４３Ｂの上面にかけて、前後方向に直線的に延びる。リブ４４の上面の前端縁４４Ａは、膨出部４３Ｂの外周面４３Ｃの上面に配置される。リブ４４の上面の後端縁４４Ｂは、延部４２の後端部の上面に配置される。複数のリブ４４は、左右方向に互いに等間隔を隔てて配置される。
【００８２】
図３に示すように、第１スタックレバー４１Ｌは、排紙口２Ａの左端部の近傍であって、通過口２Ｃの左端部の前下方に間隔を隔てて配置される。第１スタックレバー４１Ｌは、第１軸部４５および第２軸部４６が筐体２に回転可能に支持される。具体的には、第１スタックレバー４１Ｌの第１軸部４５および第２軸部４６は、ガイド部３５の下方、かつ、排紙トレイ２Ｂの上方に配置される。そして、第１スタックレバー４１Ｌの第１軸部４５および第２軸部４６は、筐体２における排紙口２Ａの左端部の近傍の部分に回転可能に支持される。
【００８３】
これにより、第１スタックレバー４１Ｌは、その後端部を中心として、左右方向に延びる軸線について回転可能である。
【００８４】
第２スタックレバー４１Ｒは、排紙口２Ａの右端部の近傍であって、通過口２Ｃの右端部の前下方に間隔を隔てて配置される。第２スタックレバー４１Ｒは、筐体２の上端部、かつ、右端部に取り付けられる。第２スタックレバー４１Ｒは、筐体２の上端部、かつ、右端部に取り付けられる以外は、第１スタックレバー４１Ｌと同様の構造である。なお、第１スタックレバー４１Ｌおよび第２スタックレバー４１Ｒが揺動部材の一例である。
【００８５】
第１スタックレバー４１Ｌおよび第２スタックレバー４１Ｒは、図１において仮想線で示す第１位置と、実線で示す第２位置との間を揺動可能である。
【００８６】
第１スタックレバー４１Ｌおよび第２スタックレバー４１Ｒが第１位置に配置される状態においては、押さえ部４３が第１軸部４５および第２軸部４６の前下方に配置される。      
【００８７】
第１スタックレバー４１Ｌおよび第２スタックレバー４１Ｒが第２位置に配置される状態においては、第１スタックレバー４１Ｌの延部４２、および、第２スタックレバー４１Ｒの延部４２は、前後方向に沿っている。そして、第２位置に配置される第１スタックレバー４１Ｌの押さえ部４３、および、第２スタックレバー４１Ｒの押さえ部４３は、第１位置に配置される状態よりも前方に配置されている。また、第１スタックレバー４１Ｌおよび第２スタックレバー４１Ｒは、下方側、すなわち、排紙トレイ２Ｂ側に向かって凸となるように湾曲している。また、第２位置に配置される第１スタックレバー４１Ｌのリブ４４は、第１スタックレバー４１Ｌにおける排紙トレイ２Ｂと向き合う面と反対側の面に形成されており、かつ、ガイド部３５よりも排紙口２Ａから前方に離れている。同様に、第２位置に配置される第２スタックレバー４１Ｒのリブ４４は、第２スタックレバー４１Ｒにおける排紙トレイ２Ｂと向き合う面と反対側の面に形成されており、かつ、ガイド部３５よりも排紙口２Ａから前方に離れている。
３．第１スタックレバーおよび第２スタックレバーの動作
第１スタックレバー４１Ｌおよび第２スタックレバー４１Ｒは、排紙トレイ２Ｂに用紙Ｐが排出されていない状態においては、その自重によって、第１位置に配置される。
【００８８】
そして、画像形成動作が開始されて、排紙トレイ２Ｂに用紙Ｐが溜まると、排紙トレイ２Ｂ上の用紙Ｐの上面と、第１スタックレバー４１Ｌの押さえ部４３とが接触する。同様に、排紙トレイ２Ｂ上の用紙Ｐの上面と、第２スタックレバー４１Ｒの押さえ部４３とが接触する。
【００８９】
次いで、排紙トレイ２Ｂにさらに用紙Ｐが積載されると、排紙トレイ２Ｂ上の用紙Ｐの上面が、第１スタックレバー４１Ｌの押さえ部４３を押し上げる。同様に、排紙トレイ２Ｂ上の用紙Ｐの上面が、第２スタックレバー４１Ｒの押さえ部４３を押し上げる。これにより、第１スタックレバー４１Ｌおよび第２スタックレバー４１Ｒは、第１軸部４５および第２軸部４６を中心として、右側面視時計回り方向に回転する。そして、第１スタックレバー４１Ｌおよび第２スタックレバー４１Ｒは、第２位置に向かって回転する。
【００９０】
そして、排紙トレイ２Ｂに排出された用紙Ｐは、第１スタックレバー４１Ｌおよび第２スタックレバー４１Ｒの自重によって下方に向かって押さえられる。
【００９１】
その後、排紙トレイ２Ｂ上の用紙Ｐが取り出されると、第１スタックレバー４１Ｌおよび第２スタックレバー４１Ｒは、その自重によって、第１位置まで回転する。
４．再搬送経路への用紙の搬送
図１を参照して、排紙トレイ２Ｂに用紙Ｐが積載された状態における反転経路１２Ａへの用紙Ｐの搬送について説明する。
【００９２】
用紙Ｐが反転経路１２Ａに搬送される場合には、フラップ３１は、搬送位置に配置される。
【００９３】
そして、片面に印刷された用紙Ｐは、加熱ローラ１０Ａと加圧ローラ１０Ｂとの間を通過した後、フラップ３１にガイドされて、反転経路１２Ａに進入する。
【００９４】
また、第２反転ローラ２３が第３回転方向に回転し、第２対向ローラ２４が第２反転ローラ２３に従動して回転する。さらに、第１反転ローラ２１が第１回転方向に回転し、第１対向ローラ２２が第１反転ローラ２１に従動して回転する。
【００９５】
これにより、用紙Ｐは、上方へ向かって搬送される。
【００９６】
そして、用紙Ｐは、通過口２Ｃを通過して、ガイド部３５上に排出され、リブ３５Ｂに沿って前方に搬送される。これにより、用紙Ｐは、接触面積を小さくしながら、前方に搬送される。換言すれば、用紙Ｐは、平坦面３５Ａの上面全てに接触する場合と比べて接触抵抗を低減するようにして、前方に搬送される。
【００９７】
用紙Ｐがさらに前方に搬送されると、用紙Ｐの搬送方向下流側端部は、リブ３５Ｂの前端縁を越えて前方に配置される。また、用紙Ｐの搬送方向上流側端部は、第２反転ローラ２３と第２対向ローラ２４との間を通過する。
【００９８】
そして、用紙Ｐは、ガイド部３５のリブ３５Ｂに沿うとともに、第１スタックレバー４１Ｌのリブ４４、および、第２スタックレバー４１Ｒのリブ４４に沿って前方に搬送される。これにより、用紙Ｐは、第１スタックレバー４１Ｌの上面全て、および、第２スタックレバー４１Ｒの上面全てに接触する場合と比べて接触抵抗を低減するようにして、前方に搬送される。
【００９９】
このとき、用紙Ｐは、具体的には、第１スタックレバー４１Ｌのリブ４４の上面、および、第２スタックレバー４１Ｒのリブ４４の上面に沿って搬送される。そのため、用紙Ｐは、その搬送方向下流側端縁が、第１スタックレバー４１Ｌのリブ４４の膨出部４３Ｂ、および、第２スタックレバー４１Ｒのリブ４４の膨出部４３Ｂに引っ掛かることなく、膨出部４３Ｂを前方に越えるように円滑に搬送される。
【０１００】
次いで、第２反転ローラ２３が第４回転方向に回転し、第２対向ローラ２４が第２反転ローラ２３に従動して回転する。さらに、第１反転ローラ２１が第２回転方向に回転し、第１対向ローラ２２が第１反転ローラ２１に従動して回転する。また、フラップ３１は、排出位置に配置される。
【０１０１】
すると、用紙Ｐは、第１反転ローラ２１の回転、および、第１対向ローラ２２の回転によって、第２反転ローラ２３および第２対向ローラ２４へ向かって搬送される。
【０１０２】
具体的には、用紙Ｐは、第１スタックレバー４１Ｌのリブ４４、および、第２スタックレバー４１Ｒのリブ４４に沿って、ガイド部３５に向かって後方に搬送される。
【０１０３】
その後、用紙Ｐは、ガイド部３５のリブ３５Ｂに沿って通過口２Ｃに向かって後方に搬送される。通過口２Ｃを通過した用紙Ｐは、第１反転ローラ２１および第１対向ローラ２２を通過して、第２反転ローラ２３および第２対向ローラ２４へ向かって搬送される。
【０１０４】
そして、用紙Ｐは、第２反転ローラ２３の回転、および、第２対向ローラ２４の回転によって、下方へ向かって搬送される。
【０１０５】
次いで、用紙Ｐは、中継経路１２Ｂへ進入する。
【０１０６】
中継経路１２Ｂへ進入した用紙Ｐは、中継経路１２Ｂ内を通過して、供給経路４Ａの途中に供給され、画像形成部３に向かってガイドされる。
５．作用効果
（１）この画像形成装置１によれば、図１に示すように、第１スタックレバー４１Ｌおよび第２スタックレバー４１Ｒを備える。そして、第１スタックレバー４１Ｌおよび第２スタックレバー４１Ｒは、排紙トレイ２Ｂに用紙Ｐが排出されていない場合には、その自重によって第１位置に配置される。そして、排紙トレイ２Ｂに用紙Ｐが排出されて、排紙トレイ２Ｂ上に用紙Ｐが積載されると、第１スタックレバー４１Ｌおよび第２スタックレバー４１Ｒは、用紙Ｐに押し上げられるようにして、第１位置から第２位置に向かって移動するとともに、押さえ部４３によって用紙Ｐを押さえる。また、第１スタックレバー４１Ｌにおける排紙トレイ２Ｂと向き合う面と反対側の面にリブ４４が形成されており、同様に、第２スタックレバー４１Ｒにおける排紙トレイ２Ｂと向き合う面と反対側の面にリブ４４が形成されている。
【０１０７】
そのため、排紙トレイ２Ｂ上に積載された用紙Ｐを第１スタックレバー４１Ｌおよび第２スタックレバー４１Ｒによって押さえることができながら、反転経路１２Ａおよび通過口２Ｃを通過する用紙Ｐを、第１スタックレバー４１Ｌのリブ４４、および、第２スタックレバー４１Ｒのリブ４４に沿わせて搬送できる。
【０１０８】
その結果、再搬送される用紙Ｐが面に接触する場合に比べて、用紙Ｐの接触面積を小さくできる。すなわち、再搬送される用紙Ｐが面に接触する場合に比べて、用紙Ｐの搬送抵抗の増加を抑制できる。
【０１０９】
よって、用紙Ｐを円滑に再搬送できる。
【０１１０】
また、片面にのみ画像が形成された用紙Ｐが再搬送されつつ、両面に画像が形成された用紙Ｐが排紙される場合には、排紙される用紙Ｐは、第１スタックレバー４１Ｌおよび第２スタックレバー４１Ｒを押し上げるようにして排紙トレイ２Ｂ上に積載され、再搬送される用紙Ｐは、第１スタックレバー４１Ｌのリブ４４、および、第２スタックレバー４１Ｒのリブ４４に沿って移動する。
【０１１１】
そのため、排紙トレイ２Ｂ上に積載される用紙Ｐと、再搬送される用紙Ｐとが接触することを抑制できる。
（２）また、この画像形成装置１によれば、図１に示すように、第１反転ローラ２１および第２反転ローラ２３を備える。
【０１１２】
そのため、第１反転ローラ２１を第１回転方向に回転させた後に第２回転方向に回転させ、第２反転ローラ２３を第３回転方向に回転させた後に第４回転方向に回転させることにより、用紙Ｐを通過口２Ｃに向けて搬送した後に、通過口２Ｃから離れる方向に搬送できる。
【０１１３】
そのため、第１反転ローラ２１および第２反転ローラ２３の回転方向を切り替えることにより、用紙Ｐを再搬送できる。
（３）また、この画像形成装置１によれば、図１に示すように、第１スタックレバー４１Ｌおよび第２スタックレバー４１Ｒは、第２位置に位置する状態において、下方側、すなわち、排紙トレイ２Ｂ側に向かって凸となるように湾曲している。
【０１１４】
そのため、第１スタックレバー４１Ｌおよび第２スタックレバー４１Ｒによって、排紙トレイ２Ｂに排出された用紙Ｐを確実に押さえることができる。
（４）また、この画像形成装置１によれば、図４に示すように、第１スタックレバー４１Ｌおよび第２スタックレバー４１Ｒにおいて、リブ４４は、延部４２の後端部と、押さえ部４３の前端部との間を直線的に延びる。
【０１１５】
そのため、用紙Ｐを、リブ４４に沿わせて円滑に搬送できる。
（５）また、この画像形成装置１によれば、図１に示すように、通過口２Ｃは、排紙口２Ａよりも後方に配置される。
【０１１６】
そのため、通過口２Ｃを通過した用紙Ｐが排紙トレイ２Ｂに向かって搬送される場合において、用紙Ｐが通過口２Ｃから排紙口２Ａの近傍まで搬送される間は、搬送される用紙Ｐと、排紙トレイ２Ｂ上に積載される用紙Ｐとは接触しない。
【０１１７】
そのため、再搬送される用紙Ｐと、排紙トレイ２Ｂ上に積載される用紙Ｐとが接触することを抑制できる。
【０１１８】
その結果、用紙Ｐを一層円滑に再搬送できる。
（６）また、この画像形成装置１によれば、図１に示すように、ガイド部３５は、上下方向において、排紙口２Ａと排紙トレイ２Ｂとの間に配置され、排紙トレイ２Ｂの下側の縁を形成する。
【０１１９】
そのため、反転経路１２Ａおよび通過口２Ｃを通過する用紙Ｐを、ガイド部３５に沿わせて搬送できる。
【０１２０】
その結果、反転経路１２Ａおよび通過口２Ｃを通過する用紙Ｐの搬送速度が遅くなることを一層抑制できる。
（７）また、この画像形成装置１によれば、図１に示すように、ガイド部３５は、第１スタックレバー４１Ｌの第１軸部４５および第２軸部４６、ならびに、第２スタックレバー４１Ｒの第１軸部４５および第２軸部４６よりも上方に配置される。
【０１２１】
そのため、ガイド部３５に沿って移動した用紙Ｐを、円滑に第１スタックレバー４１Ｌのリブ４４、および、第２スタックレバー４１Ｒのリブ４４に沿わせて搬送できる。
（８）また、この画像形成装置１によれば、図１に示すように、ガイド部３５は、筐体２の上面であり、排紙トレイ２Ｂは、筐体２の上面から下方に凹んでいる。
【０１２２】
そのため、別途部材を設けることなく、ガイド部３５および排紙トレイ２Ｂを構成できる。
【０１２３】
その結果、画像形成装置１において部品点数を削減できる。
（９）また、この画像形成装置１によれば、図１に示すように、ガイド部３５は、用紙Ｐとの接触抵抗を低減するように構成されるリブ４４を備える。
【０１２４】
そのため、ガイド部３５に沿って移動する用紙Ｐは、リブ４４に接触する。
【０１２５】
そのため、用紙Ｐを一層円滑に再搬送できる。
【０１２６】
また、ガイド部３５を簡易に構成できる。
（１０）また、この画像形成装置１によれば、図４に示すように、リブ４４は、左右方向において、互いに等間隔を隔てて複数配置される。
【０１２７】
そのため、用紙Ｐを複数のリブ４４に接触させることができる。
【０１２８】
その結果、用紙Ｐの搬送速度が遅くなることを一層抑制できる。
（１１）また、この画像形成装置１によれば、図１に示すように、リブ４４は、第１スタックレバー４１Ｌおよび第２スタックレバー４１Ｒのリブ４４が第２位置に配置されたときに、ガイド部３５の前方に配置される。
【０１２９】
そのため、通過口２Ｃを通過してガイド部３５に沿って搬送される用紙Ｐは、ガイド部３５に沿って搬送された後、リブ４４に沿って搬送される。
【０１３０】
そのため、用紙Ｐを円滑に搬送できる。
（１２）また、この画像形成装置１によれば、図１に示すように、供給経路４Ａと、排紙経路５Ａと、反転経路１２Ａと、中継経路１２Ｂとを備える。
【０１３１】
そのため、用紙Ｐを反転経路１２Ａに進入させて通過口２Ｃに向かって搬送させた後、その用紙Ｐを通過口２Ｃから離れる方向に搬送し、中継経路１２Ｂを搬送させて供給経路４Ａに進入させることにより、定着器１０を通過した用紙Ｐを再度、画像形成部３に向かって搬送できる。そして、画像形成部３によって、用紙Ｐにおける画像が形成されていない面に画像を形成できる。
（１３）また、この画像形成装置１によれば、図１に示すように、第１ガイド位置と、第２ガイド位置との間を移動可能なフラップ３１を備える。
【０１３２】
そのため、フラップ３１によって、用紙Ｐを、排紙経路５Ａまたは反転経路１２Ａに確実にガイドできる。
＜第２実施形態＞
以下、第２実施形態の画像形成装置５０について説明する。以下の説明において、上記した第１実施形態と同様の構成には同様の符号を付し、その説明を省略する。
【０１３３】
上記した第１実施形態では、リブ３５Ｂは、排紙口２Ａからガイド部３５の前端縁にかけて配置されている。
【０１３４】
対して、第２実施形態では、図５および図６に示すように、リブ５５Ｃは、通過口２Ｃの前方に間隔を隔てて配置される。
【０１３５】
具体的には、第２実施形態では、画像形成装置５０は、ガイド部３５に代えて、ガイド部５５を備える。
【０１３６】
ガイド部５５は、筐体２の上面の後端部分かつ左右方向中央部分である。ガイド部５５は、平坦面５５Ａと、傾斜面５５Ｂと、複数のリブ５５Ｃとを備える。
【０１３７】
平坦面５５Ａは、水平方向に沿って延びる。図６に示すように、平坦面５５Ａの後端縁５５Ｄは、通過口２Ｃの下側の縁を形成しており、左右方向に延びる。なお、平坦面５５Ａの後端縁５５Ｄが第２端縁の一例である。
【０１３８】
図５および図６に示すように、傾斜面５５Ｂは、平坦面５５Ａから連続して前下方に延びる。傾斜面５５Ｂの前端縁５５Ｅは、排紙口２Ａに沿うように左右方向に延びる。傾斜面５５Ｂの後端縁５５Ｆは、前端縁５５Ｅと平行に左右方向に延び、前端縁５５Ｅの後上方に間隔を隔てて配置される。なお、傾斜面５５Ｂの前端縁５５Ｅが第１端縁の一例である。
【０１３９】
リブ５５Ｃは、傾斜面５５Ｂから上方に突出する。リブ５５Ｃは、前後方向に延びる。
リブ５５Ｃの前端縁は、傾斜面５５Ｂの前端縁５５Ｅと一致し、リブ５５Ｃの後端縁は、傾斜面５５Ｂの後端縁５５Ｆと一致する。すなわち、リブ５５Ｃは、傾斜面５５Ｂの前端縁５５Ｅと傾斜面５５Ｂの後端縁５５Ｆとにかけて配置される。リブ５５Ｃは、ガイド部５５の前端部に配置される。リブ５５Ｃは、平坦面５５Ａを介して通過口２Ｃに対して前方に間隔を隔てて配置される。
【０１４０】
そして、図６に示すように、通過口２Ｃを通過して前方に搬送される用紙Ｐは、リブ５５Ｃに沿って前方に搬送された後、第１スタックレバー４１Ｌのリブ４４、および、第２スタックレバー４１Ｒのリブ４４に沿って搬送される。
【０１４１】
第２実施形態の画像形成装置５０によれば、第１実施形態と同様の作用効果を得ることができる。
【０１４２】
また、第２実施形態の画像形成装置５０によれば、図５および図６に示すように、リブ５５Ｃは、傾斜面５５Ｂに配置される。そして、リブ５５Ｃの前端縁は、傾斜面５５Ｂの前端縁５５Ｅと一致する。
【０１４３】
ここで、通過口２Ｃを通過した用紙Ｐは、その先端が第１スタックレバー４１Ｌおよび第２スタックレバー４１Ｒに当接するように下方に垂れる。そして、その用紙Ｐは、傾斜面５５Ｂの前端縁５５Ｅに接触する。
【０１４４】
そのため、通過口２Ｃを通過して排紙トレイ２Ｂの上に配置された用紙Ｐを再搬送するときに、用紙Ｐが接触しやすい傾斜面５５Ｂの前端縁５５Ｅにリブ５５Ｃが配置される。
【０１４５】
そのため、再搬送される用紙Ｐを効率良くリブ５５Ｃに接触させることができる。
【０１４６】
その結果、用紙Ｐを一層円滑に再搬送できる。
【符号の説明】
【０１４７】
１      画像形成装置
２      筐体
２Ａ    排紙口
２Ｂ    排紙トレイ
２Ｃ    通過口
３      画像形成部
５Ａ    排紙経路
６      感光ドラム
９      転写ユニット
１０    定着器
１２Ａ  反転経路
２１    第１反転ローラ
２３    第２反転ローラ
３１    フラップ
３５    ガイド部
３５Ｂ  リブ
４１Ｌ  第１スタックレバー
４１Ｒ  第２スタックレバー
４４    リブ
４５    第１軸部
４６    第２軸部
５０    画像形成装置
５５    ガイド部
５５Ｃ  リブ
５５Ｄ  後端縁
５５Ｅ  前端縁
【図１】
0006443181.tif 000002
【図２】
0006443181.tif 000003
【図３】
0006443181.tif 000004
【図４】
0006443181.tif 000005
【図５】
0006443181.tif 000006
【図６】
0006443181.tif 000007